(57)【要約】【課題】揺動操作を受け付けつつ防水性を高めることができる回転揺動式入力装置を提供する。【解決手段】回転揺動式入力装置は、デジタルカメラ１のカバー１６から露出し、回転操作及び揺動操作を受け付け可能な外部ダイアル５と、少なくとも一部がデジタルカメラ１の内部に配置され、カバー１６に形成された挿嵌孔２３を介して外部ダイアル５へ連結され、回転軸ＡＺ回りに回転するとともに、回転軸ＡＺに対して揺動する内部ダイアル１５と、挿嵌孔２３を囲むようにカバー１６からデジタルカメラ１の外側へ向けて突出する立壁部１６ｂとを備え、外部ダイアル５の外縁５ａはカバー１６へ向けて延出し、外部ダイアル５を回転軸ＡＺの垂直方向から眺めた場合、外縁５ａが立壁部１６ｂの少なくとも一部を覆う。【選択図】    図４
2019220293.tif 000002
【特許請求の範囲】
【請求項１】
機器に取り付けられる回転揺動式入力装置において、
少なくとも外縁が前記機器の外装部材から露出し、回転操作及び揺動操作を受け付け可能な外部ダイアル部材と、
少なくとも一部が前記機器の内部に配置され、前記外装部材に形成された挿嵌孔を介して前記外部ダイアル部材へ連結され、前記外部ダイアル部材の回転軸の回りに回転するとともに、前記回転軸に対して揺動する内部ダイアル部材と、
前記挿嵌孔を囲むように前記外装部材から前記機器の外側へ向けて突出する環状壁と、
を備え、
前記外部ダイアル部材の外縁は前記外装部材へ向けて延出し、
前記外部ダイアル部材を前記回転軸の垂直方向から眺めた場合、前記外縁が前記環状壁の少なくとも一部を覆うことを特徴とする回転揺動式入力装置。
【請求項２】
前記外装部材において前記環状壁の周辺を囲むように環状溝が設けられていることを特徴とする請求項１記載の回転揺動式入力装置。
【請求項３】
前記環状溝は前記外装部材の表面に沿って前記環状溝の外側へ突出する少なくとも１つの枝溝を有し、
前記枝溝は前記環状壁から離れるにつれて浅くなることを特徴とする請求項２記載の回転揺動式入力装置。
【請求項４】
前記枝溝は外部ダイアル部材の回転操作又は揺動操作によって選択される機能の指標を兼ねることを特徴とする請求項３記載の回転揺動式入力装置。
【請求項５】
前記外装部材において前記環状溝に囲まれた部分が前記機器の外側へ向けて膨らむ膨出部が形成されることを特徴とする請求項２乃至４のいずれか１項に記載の回転揺動式入力装置。
【請求項６】
前記環状壁及び前記膨出部の表面に撥水処理が施されることを特徴とする請求項５記載の回転揺動式入力装置。
【請求項７】
前記外装部材において前記環状溝よりも外側の表面に親水処理が施されることを特徴とする請求項２乃至６のいずれか１項に記載の回転揺動式入力装置。
【請求項８】
前記外部ダイアル部材及び前記環状壁の間において、前記環状壁の頂部に配置されるシートをさらに備えることを特徴とする請求項１乃至７のいずれか１項に記載の回転揺動式入力装置。
【請求項９】
前記回転操作を検知する回転検知手段と、前記揺動操作を検知する揺動検知手段と、をさらに備えることを特徴とする請求項１乃至８のいずれか１項に記載の回転揺動式入力装置。
【請求項１０】
請求項１乃至９のいずれか１項に記載の回転揺動式入力装置を備えることを特徴とする電子機器。
【発明の詳細な説明】
【技術分野】
【０００１】
本発明は、回転揺動式入力装置及び当該回転揺動式入力装置を備えるデジタルカメラ等の撮像装置を含む電子機器に関する。
【背景技術】
【０００２】
複数方向の揺動操作と回転操作の複合操作を受け付け可能な操作ダイアルを有する回転揺動式入力装置を備えるデジタルカメラ等の電子機器が知られる。この回転揺動式入力装置では、回転操作がカメラのマニュアルフォーカスの設定等の段階的な入力操作に割り当てられ、揺動操作がフラッシュ発光のオン／オフ／オート等のトグル操作に割り当てられる（例えば、特許文献１参照）。
【０００３】
特許文献１の回転揺動式入力装置は、操作ダイアルをなす略円柱状のダイアル部材が、カメラの外装部材に形成された挿嵌孔へカメラの内部から挿嵌され、外装から突出した部分が操作部を構成する。この回転揺動式入力装置において揺動操作を実現するために、挿嵌孔の内径はダイアル部材の外径よりも大きく設定され、その結果、挿嵌孔とダイアル部材の間には隙間が生じる。
【０００４】
ところで、カメラは屋外でも使用されることから、降雨等によってカメラが水に濡れた場合、水が上記隙間からカメラの内部へ浸入し、カメラの動作不良を引き起こすおそれがある。そこで、Ｏリング等のシール材によって上記隙間を埋めることにより、水のカメラの内部への浸入を抑制することが考えられる。
【先行技術文献】
【特許文献】
【０００５】
【特許文献１】特開２０１７−９１６１１号公報
【発明の概要】
【発明が解決しようとする課題】
【０００６】
しかしながら、シール材によってカメラの挿嵌孔とダイアル部材の間の隙間を埋めた場合、ダイアル部材が操作ダイアルの回転軸に対して傾くことができず、結果として揺動操作を受け付けることができないという問題が生じる。
【０００７】
本発明の目的は、揺動操作を受け付けつつ防水性を高めることができる回転揺動式入力装置及び電子機器を提供することにある。
【課題を解決するための手段】
【０００８】
上記目的を達成するために、本発明の回転揺動式入力装置は、機器に取り付けられる回転揺動式入力装置において、少なくとも外縁が前記機器の外装部材から露出し、回転操作及び揺動操作を受け付け可能な外部ダイアル部材と、少なくとも一部が前記機器の内部に配置され、前記外装部材に形成された挿嵌孔を介して前記外部ダイアル部材へ連結され、前記外部ダイアル部材の回転軸の回りに回転するとともに、前記回転軸に対して揺動する内部ダイアル部材と、前記挿嵌孔を囲むように前記外装部材から前記機器の外側へ向けて突出する環状壁と、を備え、前記外部ダイアル部材の外縁は前記外装部材へ向けて延出し、前記外部ダイアル部材を前記回転軸の垂直方向から眺めた場合、前記外縁が前記環状壁の少なくとも一部を覆うことを特徴とする。
【発明の効果】
【０００９】
本発明によれば、揺動操作を受け付けつつ防水性を高めることができる。
【図面の簡単な説明】
【００１０】
【図１】本発明の第１の実施の形態に係る回転揺動式入力装置を備える電子機器としてのデジタルカメラの外観を示す背面斜視図である。
【図２】デジタルカメラが備える外部ダイアルの周辺の構成を部分的に示す拡大図である。
【図３】本実施の形態に係る回転揺動式入力装置の構成を示す分解斜視図である。
【図４】ダイアル内部ユニットの細部構成を説明するための断面図である。
【図５】内部ダイアルと外部ダイアルのバヨネット結合を説明するための断面図である。
【図６】ダイアル内部ユニットの構成を示す分解斜視図である。
【図７】本発明の第２の実施の形態における外部ダイアルの周辺の構成を部分的に示す拡大図である。
【図８】図７のＢ−Ｂ線に沿う断面図である。
【発明を実施するための形態】
【００１１】
以下、本発明の各実施の形態について図面を参照しながら詳細に説明する。しかしながら、以下の各実施の形態に記載される構成はあくまで例示に過ぎず、本発明の範囲は各実施の形態に記載される構成によって限定されることはない。まず、本発明の第１の実施の形態について説明する。
【００１２】
図１は、本発明の第１の実施の形態に係る回転揺動式入力装置を備える電子機器としてのデジタルカメラの外観を示す背面斜視図である。なお、本実施の形態では、本発明が適用される電子機器として、撮像装置の一例であるデジタルカメラを例示するが、本発明が適用される電子機器はこれに限定されない。
【００１３】
図１に示すように、デジタルカメラ１は、正面側に設けられて被写体像を不図示の撮像素子に取り込むレンズ鏡筒２と、背面側に設けられた液晶モニタ３とを備える。ユーザは液晶モニタ３を介して被写体像を確認することができる。
【００１４】
図２は、図１のデジタルカメラが備える外部ダイアル５の周辺の構成を部分的に示す拡大図である。図２において、デジタルカメラ１のカバー１６（外装部材）の一部のみが描画され、デジタルカメラ１の内部に配置される基台８等が示される。外部ダイアル５（外部ダイアル部材）は、図中における正逆回転操作や上下左右方向の揺動操作を受け付け可能に支持され、揺動操作を通じていわゆるボタン操作を受け付けることができる。外部ダイアル５の中央部には、センターキー７が設けられ、センターキー７は後述する内部部品によって外部ダイアル５とは独立して支持される。すなわち、センターキー７は、操作に関して外部ダイアル５から独立し、外部ダイアル５の回転や揺動に連動せず、押下操作された場合にのみ可動し、押しボタンとして機能する。
【００１５】
図３は、本実施の形態に係る回転揺動式入力装置の構成を示す分解斜視図である。図３に示すように、回転揺動式入力装置は、外部ダイアル５、内部ダイアル１５（内部ダイアル部材）、基台８、フレキシブル配線基板９、保持部材１０ａ、環状部材１０ｂ及びクリックバネ１１を備える。回転揺動式入力装置では、外部ダイアル５が内部ダイアル１５との間にカバー１６を挟んで配置され、外部ダイアル５は内部ダイアル１５へ連結されて内部ダイアル１５と一体的に動作する。基台８には、内部ダイアル１５の回転検知を行う一対のフォトインタラプタ１２（回転検知手段）及び押しボタンとして機能する複数のスイッチ１３（揺動検知手段）を有するフレキシブル配線基板９が不図示の両面粘着テープにより固定される。保持部材１０ａは内部ダイアル１５と嵌合する部材である。環状部材１０ｂは、スイッチ１３の押し子部１０ｃ（図４（ｃ）参照）及び内部ダイアル１５の摺動部１０ｄ（図４（ｃ）参照）を有し、弾性変形可能であり、内部ダイアル１５を摺動支持する。保持部材１０ａ及び環状部材１０ｂのそれぞれはピン形状部（不図示）を有し、各ピン形状部は、基台８に設けられた孔（不図示）に挿嵌されると共に基台８の裏面に突出してカシメられる。これにより、保持部材１０ａ及び環状部材１０ｂが基台８に固定される。
【００１６】
クリックバネ１１は保持部材１０ａに取り付けられ、内部ダイアル１５の回転時に内部ダイアル１５の裏面に設けられた各凸部１５ｅ（図６参照）との当接、非当接を繰り返す。これにより、内部ダイアル１５及び外部ダイアル５の回転時のクリック感が発生する。ここで、図３において、外部ダイアル５とカバー１６以外の破線で囲まれた部分がダイアル内部ユニット４を構成する。
【００１７】
図４は、図３におけるダイアル内部ユニット４の細部構成を説明するための断面図である。図４（ａ）は図２のＡ−Ａ線に沿う断面図であり、図４（ｂ）は図４（ａ）のｂ部の拡大断面図であり、図４（ｃ）は図４（ａ）のｃ部の拡大断面図であり、図４（ｄ）は図４（ａ）のｄ部の拡大断面図である。
【００１８】
図４（ａ）において、内部ダイアル１５は、保持部材１０ａによって回転軸ＡＺの方向（図の上下方向）に摺動可能に嵌合保持され、且つ回転軸ＡＺ回りに回転可能に支持される。ここで、保持部材１０ａに対する内部ダイアル１５の回転軸ＡＺの方向の嵌合量は、ダイアル外径に対して少ない量に設定されるため、内部ダイアル１５は、回転可能であると共に若干量傾くことができる。すなわち、内部ダイアル１５は保持部材１０ａに対して揺動可能に支持される。環状部材１０ｂは、図４（ｂ）に示すように、薄肉で形成されて弾性変形可能である。また、図４（ｃ）に示すように、上下左右のスイッチ１３に対応する部分には、押し子部１０ｃ及び摺動部１０ｄが設けられる。さらに、図４（ａ）に示すように、センターキーホルダ６はピン形状部（不図示）を有し、ピン形状部は、基台８に設けられた孔（不図示）に挿嵌されると共に基台８の裏面に突出してカシメられる。これにより、センターキーホルダ６が基台８に固定される。また、センターキーホルダ６には、内部ダイアル１５の抜け方向（図の上方向）の移動を規制する抜け止め部６ａが設けられる。センターキー７は軸部を有し、当該軸部がセンターキーホルダ６の孔に嵌合する。センターキー７の軸部の先端には抜け止め用Ｅリング（ステンレス製Ｅ型止め輪）１７が取り付けられてストッパーとして機能する。すなわち、センターキー７はセンターキーホルダ６から外れることなく押下動作を行うことができ、これにより、ボタン操作を受け付けることができる。
【００１９】
以上の構成により、内部ダイアル１５は、保持部材１０ａの中心に位置する回転軸ＡＺ回りの回転操作を受け付け、且つ回転軸ＡＺに対する揺動操作を受け付け可能に支持される。さらに、内部ダイアル１５は、揺動操作を受け付ける際、一部が対応するスイッチ１３を押下することにより、押し操作を受け付けることができる。
【００２０】
また、図４（ｄ）に示すように、カバー１６には挿嵌孔２３が形成され、内部ダイアル１５の一部と外部ダイアル５の一部が挿嵌孔２３へ挿嵌される。このとき、内部ダイアル１５の爪形状部１５ｃが外部ダイアル５の爪形状部５ｂと互いに係合し、内部ダイアル１５は回転によるバヨネット結合によって外部ダイアル５と連結される。なお、爪形状部５ｂ及び爪形状部１５ｃはそれぞれ、回転軸ＡＺ回りに１２０°等分で３か所設けられる。また、挿嵌孔２３の回りのカバー１６は内部ダイアル１５と外部ダイアル５の間に挟まれる。これにより、内部ダイアル１５と外部ダイアル５の間の隙間がカバー１６によって塞がれ、当該隙間からのデジタルカメラ１の内部へ異物の侵入が抑制される。
【００２１】
図５は、内部ダイアル１５と外部ダイアル５のバヨネット結合を説明するための断面図である。図５（ａ）は図２のＢ−Ｂ線に沿う断面図であり、図５（ｂ）は図５（ａ）のｅ部の拡大断面図である。また、図６は、ダイアル内部ユニット４の構成を示す分解斜視図である。
【００２２】
図５（ｂ）に示すように、内部ダイアル１５及び外部ダイアル５には、回転軸ＡＺ回りに互いに係合する凸部１５ａと凸部１５ｂが設けられる。内部ダイアル１５と外部ダイアル５をバヨネット結合する際には、破線矢印で示すように、凸部１５ａが凸部１５ｂを乗り越える。凸部１５ａが凸部１５ｂを乗り越える際、各爪形状部５ｂ及び各爪形状部１５ｃが互いに弾性変形することにより、スナップフィットの役割を果たす。なお、凸部１５ｂ及び凸部１５ａもそれぞれ、回転軸ＡＺ回りに１２０°等分で３か所設けられる。
【００２３】
ここで、内部ダイアル１５を保持部材１０ａへ組み付ける際に、外部ダイアル５が内部ダイアル１５からずれてバヨネット結合が解除されるのを抑制する必要がある。このとき、凸部１５ａが凸部１５ｂを乗り越えるために必要な回転トルクよりも高い回転トルクで内部ダイアル１５又は外部ダイアル５の回転を抑制する必要がある。
【００２４】
そこで、本実施の形態では、図６に示すように、基台８及びフレキシブル配線基板９に開口部２４を設け、また、内部ダイアル１５の遮光羽根１４や凸部１５ｂを避けた位置に複数の凹形状部１５ｄを設ける。そして、内部ダイアル１５を保持部材１０ａへ組み付けた後に、回転抑制冶具１８の各突起１８ａを各開口部２４へ挿嵌させて突出させ、さらに各突起１８ａを各凹形状部１５ｄへ嵌め込む。これにより、内部ダイアル１５の回転を規制する。その結果、内部ダイアル１５を保持部材１０ａへ組み付けた後に内部ダイアル１５へ外部ダイアル５をバヨネット結合させることができる。また、クリックバネ１１によって発生する回転操作時のトルクは、凸部１５ａが凸部１５ｂを乗り越えるために必要な回転トルクよりも大幅に低い。よって、外部ダイアル５が組み付けられた後の回転操作で生じたクリックバネ１１によって発生する回転操作時のトルクにより、外部ダイアル５と内部ダイアル１５のバヨネット結合が解除されることはない。
【００２５】
なお、内部ダイアル１５を保持部材１０ａから取り外す際には、凸部１５ａが凸部１５ｂを乗り越えるために必要な回転トルクよりも低い回転トルクが抵抗力として発生しても内部ダイアル１５と外部ダイアル５のバヨネット結合が解除されることはない。
【００２６】
また、図４（ｂ）に示すように、内部ダイアル１５へ金属製の複数の遮光羽根１４がインサート成形により一体化され、各遮光羽根１４は内部ダイアル１５と一体的に回転且つ揺動する。各遮光羽根１４は、内部ダイアル１５が回転する際、回転角度に応じてフォトインタラプタ１２からの光線の反射、非反射を繰り返すように円周に沿って均等の角度で配置される。また、図３及び図６に示すように、フレキシブル配線基板９には２つのフォトインタラプタ１２が搭載される。また、各フォトインタラプタ１２は、各遮光羽根１４による光線の反射、非反射の繰り返しによって発生する２つのパルス波形が常に半位相ずれるような角度に配置される。これにより、２つのパルス波形の位相差に基づいて内部ダイアル１５（外部ダイアル５）の回転方向を検知することができる。
【００２７】
ところで、フォトインタラプタ１２と遮光羽根１４が内部ダイアル１５の揺動操作時に互いに接触すると、フォトインタラプタ１２が破損するおそれがある。そこで、本実施の形態では、図４（ｄ）に示すように、外部ダイアル５とカバー１６の間には押下操作方向に最適なクリアランスＢが設定される。具体的に、本実施の形態では、押し子部１０ｃによりスイッチ１３が押されて動作するまでの外部ダイアル５の移動量をＡとし、フォトインタラプタ１２と遮光羽根１４の押下操作方向のクリアランスをＣとしたとき、「Ａ＜Ｂ＜Ｃ」の関係が成立する。これにより、本実施の形態では、フォトインタラプタ１２と遮光羽根１４が接触する前に外部ダイアル５がカバー１６に当接する。すなわち、外部ダイアル５を強く押下した場合や落下等で外部ダイアル５に強い衝撃が加わった場合であっても、フォトインタラプタ１２が遮光羽根１４との接触によって破損することは無く、高い信頼性を確保することができる。また、スイッチ１３を動作させるために必要な外部ダイアル５の押下操作方向の移動量ＡよりもクリアランスＢの方が大きいので、外部ダイアル５の押下操作が外部ダイアル５とカバー１６の接触に阻害されることがない。これにより、外部ダイアル５によって確実にスイッチ１３のオン操作を行うことができる。
【００２８】
なお、外部ダイアル５は、バヨネット結合のための爪形状部や凸形状部を有していれば、その大きさやデザイン等を自由に変更することができる。その結果、デジタルカメラ１の仕様、形状の変更を外部ダイアル５の形状変更で対応することにより、外部ダイアル５以外のダイアル内部ユニット４の構成の変更を行う必要を無くすことができ、もって、ダイアル内部ユニット４の製造コストを削減することができる。
【００２９】
また、デジタルカメラ１では、図４（ｄ）に示すように、外部ダイアル５の外縁５ａは、カバー１６の外側に配置されてカバー１６から露出し、さらに、カバー１６へ向けて延出する。また、外部ダイアル５及び内部ダイアル１５に挟まれるカバー１６は、デジタルカメラ１の外側へ向けて膨らむ膨出部１６ａを形成する。
【００３０】
ところで、外部ダイアル５及び膨出部１６ａの間には、外部ダイアル５が揺動する際に膨出部１６ａと接触しないように所定の隙間が設けられる。このとき、デジタルカメラ１の外部から当該隙間へ水が浸入し、さらに、挿嵌孔２３を介してデジタルカメラ１の内部へ至るおそれがある。これに対して、本実施の形態では、挿嵌孔２３を囲むように膨出部１６ａからデジタルカメラ１の外側へ向けて突出する環状の立壁部１６ｂ（環状壁）が形成される。また、外部ダイアル５の外縁５ａ及び立壁部１６ｂはカバー１６に対して略垂直となるように形成されるが、外部ダイアル５を回転軸ＡＺの垂直方向（図４（ａ）中の白抜き矢印に沿う方向）から眺めた場合、外縁５ａが立壁部１６ｂの少なくとも一部を覆う。これにより、外部ダイアル５及び膨出部１６ａの間の隙間はラビリンス形状を呈するため、当該隙間へ水が浸入しにくくなる。また、膨出部１６ａの周囲には、膨出部１６ａと膨出部１６ａ以外のカバー１６とを繋ぐ傾斜壁１６ｃが設けられる。外部ダイアル５及び膨出部１６ａの間の隙間へ浸入しようとする水は、まず、この傾斜壁１６ｃを乗り越える必要があるため、水は外部ダイアル５及び膨出部１６ａの間の隙間へより浸入しにくくなる。その結果、挿嵌孔２３へＯリングを配置することなく、外部ダイアル５及び膨出部１６ａの間の隙間を介してデジタルカメラ１の内部へ水が浸入するのを防ぐことができる。すなわち、本実施の形態に係る回転揺動式入力装置は、揺動操作を受け付けつつ防水性を高めることができる。
【００３１】
次に、本発明の第２の実施の形態について説明する。第２の実施の形態は、その構成、作用が上述した第１の実施の形態と基本的に同じであり、膨出部１６ａを囲むようにカバー１６へ溝が形成される点で第１の実施の形態と異なる。本実施の形態では、第１の実施の形態と重複した構成、作用については説明を省略し、以下に異なる構成、作用についての説明を行う。
【００３２】
図７は、本実施の形態における外部ダイアル５の周辺の構成を部分的に示す拡大図である。図８は図７のＢ−Ｂ線に沿う断面図である。図７及び図８に示すように、デジタルカメラ１では、立壁部１６ｂが形成された膨出部１６ａを囲むように、カバー１６において回転軸ＡＺの方向に凹む環状溝１９が形成される。環状溝１９はカバー１６の表面に沿って当該環状溝１９から外側へ向けて突出する、例えば、４つの枝溝１９ａを有し、枝溝１９ａは膨出部１６ａから離れるにつれて浅くなる、すなわち、環状溝１９から外側へ向けて浅くなる。
【００３３】
デジタルカメラ１のカバー１６に付着した水は、外部ダイアル５及び膨出部１６ａの間の隙間へ浸入するために、環状溝１９を乗り越える必要があるため、水は外部ダイアル５及び膨出部１６ａの間の隙間へさらに浸入しにくくなる。また、各枝溝１９ａは環状溝１９から外側へ向けて浅くなるため、環状溝１９の貯まった水を排出する。その結果、外部ダイアル５及び膨出部１６ａの間の隙間を介してデジタルカメラ１の内部へ水が浸入するのを確実に防ぐことができる。各枝溝１９ａは環状溝１９から外側へ向けて突出するため、外部ダイアル５によって覆われにくく視認可能であることから、各枝溝１９ａが外部ダイアル５の回転操作又は揺動操作によって選択される機能の指標を兼ねてもよい。
【００３４】
さらに、外部ダイアル５及び立壁部１６ｂの間において、立壁部１６ｂの頂部に円環状のシート２２が設けられる。このシート２２は回転軸ＡＺの方向と略垂直をなすように配置される。シート２２の外径は、立壁部１６ｂの外径よりも大きく設定され、さらに、外部ダイアル５が回転操作され、若しくは揺動操作される際に、外部ダイアル５の外縁５ａと接触しないように設定される。このシート２２は、外部ダイアル５及び立壁部１６ｂの間の隙間に浸入した水に対して防水壁として機能し、これにより、水が挿嵌孔２３を介してデジタルカメラ１の内部へ至るのを防止することができる。
【００３５】
以上、本発明の好ましい実施の形態について説明したが、本発明は上述した実施の形態に限定されず、その要旨の範囲内で種々の変形及び変更が可能であり、材質、形状、寸法、形態、数、配置箇所等は適宜変更可能である。
【００３６】
例えば、カバー１６の表面に特殊な表面処理が施されていてもよく、互いに異なる特性を有する２種類の表面処理が施されていてもよい。具体的には、膨出部１６ａと立壁部１６ｂの表面には撥水処理が施され、膨出部１６ａや立壁部１６ｂ以外の環状溝１９よりも外側のカバー１６の表面には親水処理が施される。撥水処理が施された膨出部１６ａや立壁部１６ｂの表面の表面張力は水の表面張力（７２．７５ｍＮ／ｍ）よりも小さくなる。これにより、膨出部１６ａや立壁部１６ｂの表面に付着した水は膨出部１６ａや立壁部１６ｂの表面に引っ張られずに体積当たりの表面積を最小化すべく水玉状を呈する。当該水玉状を呈する水は、膨出部１６ａや立壁部１６ｂの表面との接触面積当たりの重量が増加するため、例えば、重力によって移動しやすくなり、その結果、膨出部１６ａや立壁部１６ｂの表面の表面から水が除去され易くなる。
【００３７】
また、親水処理が施された環状溝１９よりも外側のカバー１６の表面の表面張力は水の表面張力（７２．７５ ｍＮ／ｍ）よりも大きくなる。これにより、当該カバー１６の表面に付着した水はカバー１６の表面に引っ張られ、体積当たりの表面積を最大化すべくカバー１６の表面に沿って広がる。したがって、水玉状を呈することによって膨出部１６ａや立壁部１６ｂの表面から除去された水は、環状溝１９よりも外側のカバー１６の表面に沿って広がる。その結果、水を挿嵌孔２３から確実に遠ざけることができ、もって、水がデジタルカメラ１の内部へ浸入するのを確実に防止することができる。
【符号の説明】
【００３８】
１  デジタルカメラ
５  外部ダイアル
１２  フォトインタラプタ
１３  スイッチ
１５  内部ダイアル
１６  カバー
１６ａ  膨出部
１６ｂ  立壁部
１６ｃ  傾斜壁
１９  環状溝
１９ａ  枝溝
２３  挿嵌孔
【図１】
2019220293.tif 000003
【図２】
2019220293.tif 000004
【図３】
2019220293.tif 000005
【図４】
2019220293.tif 000006
【図５】
2019220293.tif 000007
【図６】
2019220293.tif 000008
【図７】
2019220293.tif 000009
【図８】
2019220293.tif 000010